(57)【要約】【課題】圧縮機用駆動装置は、振動に対してプリント基板上のリアクタ１０７を基板支持ゴムブッシュとリアクタゴムブッシュを収納ボックスと蓋で圧縮して固定することより、リアクタにかかる応力を緩和し、リアクタが断線しない信頼性の高い圧縮機用駆動装置を提供する。【解決手段】圧縮機１０３を駆動する半導体素子１０５及び電源入力部１０６にリアクタ１０７が実装されたプリント基板１０９を収納し、少なくとも一方の面に開口部を備える収納ボックス１１３と、収納ボックスの反半開口部側から支持する複数の基板支持ゴムブッシュと、収納ボックス１１３の開口部を閉口するように取り付けられた蓋１１７と、前記プリント基板のリアクタ１０７と前記蓋１１７との間にリアクタゴムブッシュ１１９とからなり、プリント基板上のリアクタを基板支持ゴムブッシュとリアクタゴムブッシュで固定することができ信頼性を向上させることができる。【選択図】図１
2014183649.tif 000002
【特許請求の範囲】
【請求項１】
圧縮機を駆動する半導体素子とリアクタが実装されたプリント基板と、前記プリント基板を収納し、少なくとも一方の面に開口部を備え圧縮機に直接取り付ける構造を持った収納ボックスと、前記プリント基板を前記収納ボックスの反半開口部側から支持する複数の基板支持ゴムブッシュと、前記収納ボックスの開口部を閉口するように取り付けられた蓋と、前記プリント基板のリアクタと前記蓋との間にリアクタゴムブッシュからなる圧縮機用駆動装置であって、前記プリント基板のリアクタに前記リアクタゴムブッシュ圧縮するように前記蓋を装着して、前記プリント基板の前記リアクタを固定するように形成したことを特徴とする圧縮機用駆動装置。
【請求項２】
前記リアクタゴムブッシュを、空洞部を備えた筒状の形状とし、前記リアクタの上部の前記収納ボックスの内部に開口部に向かって突出した突出部を設け、前記リアクタゴムブッシュの前記空洞部を前記リアクタの前記突出部に挿入することにより、前記リアクタの所定の位置に配置することを特徴とする請求項１記載の圧縮機用駆動装置。
【請求項３】
前記蓋の前記収納ボックスの内側に複数の突起部を設け、前記突起部に覆われた範囲以内に前記リアクタゴムブッシュを配置することで、前記リアクタゴムブッシュを前記蓋内の所定の位置に配置するように形成した請求項１または２に記載の圧縮機用駆動装置。
【発明の詳細な説明】
【技術分野】
【０００１】
本発明は、半導体素子等の電子部品を実装したプリント基板を収納ボックスの中に収納する構成をもち、冷凍冷蔵装置等に使用される密閉型電動圧縮機を駆動させるための圧縮機用駆動装置に関するものである。
【背景技術】
【０００２】
従来、パワーエレクトロニクスの進歩に伴い、冷却システムにはインバータ圧縮機が使用されている。例えば、冷蔵庫や空気調和機などにおいて、省エネルギーの目的でインバータ圧縮機が圧縮機用駆動装置を介して使用され、機器の省エネルギーに大きく貢献している。
【０００３】
このような圧縮機用駆動装置において、圧縮機の外郭に取り付けて構成する圧縮機用駆動装置が提案されている（例えば特許文献１参照）。
【０００４】
以下、図面を参照しながら従来の圧縮機用駆動装置について説明する。
【０００５】
図１０は、特許文献１に記載された従来の圧縮機用駆動装置の分解斜視図である。
【０００６】
図１０において、圧縮機用駆動装置１０は、ハウジング１１の下部収納室１１ａにモータ(図示なし)及びコンプレッサーが（図示なし）が収納され、上方に開口したハウジング１１の上部収納室１１ｂに、インバータ基板(制御基板)１２が収容され、上部収容室１１ｂの上方への開口は、カバー１７によって覆われている。
【０００７】
インバータ基板１２は、インバータ基板１２に入力される直流電圧の平滑化を図るためのコンデンサ１３及びリアクタ１４とモータへの高圧交流電流の印加を制御するためのコントロール回路基板１５と高圧電源から供給される直流電流を交流電流に交換してモータに印加し、モータを回転駆動させるパワー基板１６とから構成される。
【先行技術文献】
【特許文献】
【０００８】
【特許文献１】特開２００８−２１５２５３号公報
【発明の概要】
【発明が解決しようとする課題】
【０００９】
しかしながら、上記従来の構成では、圧縮機用駆動装置１０が動作すると、インバータ基板１２の高圧電源から供給される高電圧が下部収納室１１ａの圧縮機（図示なし）のモータ(図示なし)に印加され、モータ(図示なし)が回転駆動される。
【００１０】
その際、圧縮機（図示なし）のモータ(図示なし)の回転に伴う振動や熱変化の繰返しによって、リアクタなどの接合部分が断線するという課題を有していた。
【００１１】
本発明は、上記従来の課題を解決するもので、振動の加わる使用環境においても、リアクタの断線を防止し、組立作業性の良い安価な圧縮機用駆動装置を提供することを目的としている。
【課題を解決するための手段】
【００１２】
従来の課題を解決するために、本発明の圧縮機用駆動装置は、圧縮機を駆動する半導体
素子及び電源入力部にリアクタが実装されたプリント基板と、前記プリント基板を収納し、少なくとも一方の面に開口部を備え圧縮機に直接取り付ける構造を持った収納ボックスと、前記プリント基板を前記収納ボックスの反半開口部側から支持する複数の基板支持ゴムブッシュと、前記収納ボックスの開口部を閉口するように取り付けられた蓋と、前記プリント基板のリアクタと前記蓋との間にリアクタゴムブッシュからなる圧縮機用駆動装置であって、前記プリント基板のリアクタ上に前記リアクタゴムブッシュを圧縮するように前記蓋を装着して、前記プリント基板のリアクタを固定するようにしたものである。
【００１３】
これによって、リアクタが実装されたプリント基板の半田面側を収納ボックスと基板支持ゴムブッシュと、プリント基板の部品面側を蓋とリアクタゴムブッシュとを介して上下面からプリント基板を基板支持ゴムブッシュとリアクタゴムブッシュのゴムの伸縮で固定したことにより、リアクタに加わる振動が吸収されリアクタの断線を防止した圧縮機用駆動装置を提供することができる。
【発明の効果】
【００１４】
本発明の圧縮機用駆動装置は、リアクタが実装されたプリント基板の半田面側を収納ボックスと基板支持ゴムブッシュと、プリント基板の部品面側を蓋とリアクタゴムブッシュとを介して上下面からプリント基板のリアクタを基板支持ゴムブッシュとリアクタゴムブッシュのゴムの伸縮で固定したことにより、リアクタに加わる振動が基板支持ゴムブッシュとリアクタゴムブッシュによって吸収されることによって、圧縮機等、振動が加わる悪環境下において設置されたとしてもリアクタのコイル接合部分にかかる応力を緩和し、圧縮機の使用周波数範囲内にリアクタの共振周波数を外すことができるため、リアクタのコイルが断線しない信頼性の高い圧縮機用駆動装置を提供することができる。
【図面の簡単な説明】
【００１５】
【図１】本発明の第１の実施の形態における圧縮機用駆動装置の構成と圧縮機に取り付けた状態を示す斜視図
【図２】図１におけるＡ矢視部の組立完成後の断面図
【図３】本発明の第１の実施の形態における、基板支持ゴムブッシュの斜視図である
【図４】図５におけるＡ−Ａ線での断面図
【図５】本発明の第１の実施の形態におけるリアクタの斜視図である。
【図６】本発明の第１の実施の形態における、リアクタゴムブッシュの斜視図である
【図７】図６におけるＢ−Ｂ線での断面図
【図８】本発明の第１の実施の形態における圧縮機用駆動装置の蓋の正面図である。
【図９】図６におけるＣ−Ｃ線での要部断面図
【図１０】従来の圧縮機用駆動装置の分解斜視図
【発明を実施するための形態】
【００１６】
第１の発明は、圧縮機を駆動する半導体素子及び電源入力部にリアクタが実装されたプリント基板と、前記プリント基板を収納し、少なくとも一方の面に開口部を備え圧縮機に直接取り付ける構造を持った収納ボックスと、前記プリント基板を前記収納ボックスの反半開口部側から支持する複数の基板支持ゴムブッシュと、前記収納ボックスの開口部を閉口するように取り付けられた蓋と、前記プリント基板のリアクタと前記蓋との間にリアクタゴムブッシュからなる圧縮機用駆動装置であって、前記プリント基板のリアクタ上に前記リアクタゴムブッシュを圧縮するように前記蓋を装着して、前記プリント基板のリアクタを固定するように形成したことを特徴とする圧縮機用駆動装置である。
【００１７】
これにより、リアクタが実装されたプリント基板の半田面側を収納ボックスと基板支持ゴムブッシュと、プリント基板の部品面側を蓋とリアクタゴムブッシュとを介して上下面からプリント基板を基板支持ゴムブッシュとリアクタゴムブッシュとの両方のゴムの伸縮
で固定したことにより、リアクタに加わる振動が吸収されることによって、圧縮機等、振動が加わる悪環境下において設置されたとしてもリアクタのコイル接合部分にかかる応力を緩和し、圧縮機の使用周波数範囲内にリアクタの共振周波数を外すことができるため、リアクタのコイルが断線しない信頼性の高い圧縮機用駆動装置を提供することができる。
【００１８】
第２の発明は、第１の発明において、リアクタゴムブッシュを、空洞部を備えた筒状の形状とし、リアクタの上部に収納ボックスの内部に開口部に向かって突出した突出部を設け、前記リアクタゴムブッシュの前記空洞部を前記リアクタの前記突出部に挿入することにより、前記リアクタの所定の位置に配置することにしたことを特徴とする請求項１記載の圧縮機用駆動装置である。
【００１９】
これにより、リアクタゴムブッシュのリアクタ取り付けを容易にし、組立作業性の良い安価な圧縮機用駆動装置を提供することができる。
【００２０】
第３の発明は、第１、２の発明において、蓋の収納ボックス側の内側に複数の突起部を設け、前記突起部に覆われた範囲以内にリアクタゴムブッシュを配置することで、前記リアクタゴムブッシュを前記蓋内の所定の位置に配置するように形成した圧縮機用駆動装置である。
【００２１】
これにより、リアクタゴムブッシュの蓋への取り付けを容易にするとともに、リアクタゴムブッシュの取り付け位置を正確にすることができるので、リアクタゴムブッシュが前後左右方向に移動することなく、振動の加わる条件下においても信頼性の高い圧縮機用駆動装置を提供することができる。
【００２２】
以下、本発明の実施の形態について、図面を参照しながら説明する。なお、この実施の形態によってこの発明が限定されるものではない。
【００２３】
（実施の形態１）
図１は、本発明の第１の実施の形態における圧縮機用駆動装置の構成と圧縮機に取り付けた状態を示す斜視図、図２は、図１におけるＡ矢視部の組立完成後の断面図、図３は、本発明の第１の実施の形態における基板支持ゴムブッシュの斜視図、図４は、図３におけるＡ−Ａ線での断面図、図５は、本発明の第１の実施の形態におけるリアクタの斜視図、図６は、本発明の第１の実施の形態におけるリアクタゴムブッシュの斜視図、図７は、図６におけるＢ−Ｂ線での断面図、図８は、本発明の第１の実施の形態における圧縮機用駆動装置の蓋の正面図、図９は、図８におけるＣ−Ｃ線での要部断面図である。
【００２４】
図１において、圧縮機用駆動装置１０１は主に圧縮機１０３を駆動する半導体素子１０５（図示なし）及び電源入力部１０６（図示なし）にリアクタ１０７が実装されたプリント基板１０９と、プリント基板１０９を収納し圧縮機１０３に直接取り付ける取り付け脚１１１を持った収納ボックス１１３と、プリント基板１０９を収納ボックス１１３の反半開口部側から支持する複数の基板支持ゴムブッシュ１１５と、収納ボックス１１３の開口部を閉口するように取り付けられた蓋１１７と、プリント基板１０９のリアクタ１０７と蓋１１７との間にリアクタゴムブッシュ１１９からなる。前記収納ボックス１１３の開口部に、閉口するように４箇所のビス１２１によって取り付けられた蓋１１７からなる。
【００２５】
圧縮機用駆動装置１０１は取り付け脚１１１を介して圧縮機１０３の外郭に溶接されたブラケット１２３に取り付けられる。ブラケット１２３内には、圧縮機用駆動装置１０１から配線でつながれたオーバーロードプロテクター１２５と圧縮機１０３電動機へ電力を供給するクラスター接続子１２７が取り付くようになっている。
【００２６】
収納ボックス１１３の内部４箇所に開口部に向かって突出した収納ボックス突出部１２９が一体成型されて設けられており、この収納ボックス突出部１２９には、空洞部を備えた筒状の基板支持ゴムブッシュ１１５が収納ボックス突出部１２９を基板支持ゴムブッシュ１１５の空洞部１１５ａに嵌め込む用にそれぞれ取り付けられている。
【００２７】
収納ボックス突出部１２９の高さは、基板支持ゴムブッシュ１１５の高さよりも高く先端が基板支持ゴムブッシュ１１５より突出するようになっており、この突出した部分がプリント基板１０９の基板取り付けられている。
【００２８】
また、この基板支持ゴムブッシュ１１５は、プリント基板１０９を収納ボックス１１３に収納取り付け状態で、収納ボックス１１３とプリント基板１０９によって挟み込まれ、圧縮されている。
【００２９】
図２において、電源入力部１０６にリアクタ１０７が実装されたプリント基板１０９を収納ボックス１１３の底部に配置して、プリント基板１０９を弾力性のある基板支持ゴムブッシュ１１５にて収納ボックス１１３の反開口部側から圧縮支持している。
【００３０】
プリント基板１０９の電源入力部１０６のリアクタ１０７上に収納ボックス１１３の開口部を塞ぐ蓋１１７との間にリアクタゴムブッシュ１１９が支柱となるように配置し、リアクタ１０７を弾力性のあるリアクタゴムブッシュ１１９で圧縮支持するように収納ボックス１１３の蓋１１７を面接触して収納ボックス１１３に取り付けられている。
【００３１】
その際、リアクタ１０７を収納ボックス１１３の蓋１１７にリアクタゴムブッシュ１１９にて固定することによって、収納ボックス１１３の蓋１１７側からリアクタ１０７にリアクタゴムブッシュ１１９を介して押し当て力が発生する。
【００３２】
図５において、リアクタ１０７上に、水平方向に移動する際リアクタ１０７のボビンが当たって回転防止材になるように、また、回転方向に移動する場合は、リアクタ１０７のコアと、コイルボビンが回転防止材になるガイドを有するスペーサ１０７ａが形成されており、そのスペーサ１０７ａの収納ボックスの蓋１１７側にリアクタゴムブッシュ１１９の空洞部１１９ａが嵌め込まれるように円柱の突出部１０７ｂを有している。
【００３３】
また、リアクタ１０７上に形成されている円柱の突出部１０７ｂの大きさは、リアクタゴムブッシュ１１９が挿入された時に適度なクリアランスと高さがあるように設計されている。（例えば、リアクタゴムブッシュ１１９の空洞部１１９ａの径が６ｍｍであれば、突出部１０７ｂの径は、５ｍｍ、リアクタゴムブッシュ１１９の空洞部１１９ａの高さが１０ｍｍであるならば、突出部１０７ｂの高さは、２ｍｍ）
図８において、収納ボックス１１３の開口部に、閉口するように４箇所のビス１２１を有する蓋１１７は、リアクタゴムブッシュ１１９が面にする部分に複数の突起部１１７ａがプレス加工によって形成されており、リアクタゴムブッシュ１１９は、この突起部１１７ａで囲まれた内側に突起部１１７ａにて位置規制され取り付けられている。
【００３４】
以上のように構成された圧縮機用駆動装置１０１において、以下動作について説明する。
圧縮機用駆動装置１０１が動作すると、半導体素子１０５（図示なし）及び制御回路によって圧縮機１０３内の電動機を回転させるための電力を圧縮機１０３側へ供給する。それによって圧縮機１０３は運転を行い、回転動作によって振動を発生する。その振動はブラケット１２３を介して、収納ボックス１１３、基板支持ゴムブッシュ、プリント基板１０９、蓋１１７、リアクタゴムブッシュ、プリント基板１０９上のリアクタ１０７、に伝達する。
【００３５】
例えば、振動が圧縮機１０３から圧縮機用駆動装置１０１側へ振動が加わった時の動作は、ブラケット１２３を介して、収納ボックス１１３(収納ボックス１１３に共締めされている蓋１１７)へ伝わり、基板支持ゴムブッシュ１１５は、圧縮機から圧縮機用駆動装置側へ力が掛かることにより、伸びる方向に動き、プリント基板１０９上のリアクタ１０７も同じように蓋１１７側に移動する。
【００３６】
リアクタゴムブッシュ１１９は、蓋側に移動とするが、蓋が固定されているので、そのため、リアクタゴムブッシュ１１９は、縮むことでプリント基板１０９の上リアクタが移動する力を吸収する。
【００３７】
また、逆に、振動が圧縮機用駆動装置１０１から圧縮機１０３側へ力が掛かることにより、リアクタゴムブッシュ１１９が伸びる方向に動きプリント基板１０９上のリアクタがブラケット１２３側に移動し、基板支持ゴムブッシュ１１５は、ブラケット１２３側に移動とするが、収納ボックス１１３が固定されているので、そのため、基板支持ゴムブッシュ１１５は、縮むことでプリント基板上のリアクタ１０７が移動する力を吸収する。
【００３８】
リアクタゴムブッシュ１１９と基板支持ゴムブッシュ１１５の伸縮をすることによって、リアクタ１０７のコイル接合部分にかかる応力を緩和し、使用周波数範囲内にリアクタ１０７の共振周波数を外すことができるため、リアクタ１０７のコイル接合部分の断線を防止することができる。
【００３９】
特に、リアクタゴムブッシュ１１９と基板支持ゴムブッシュ１１５を同じ材料にて形成したこと時により効果的である。
【００４０】
以上のように本実施の形態においては、圧縮機１０３を駆動する半導体素子１０５（図示なし）及び電源入力部１０６にリアクタ１０７が実装されたプリント基板１０９と、前記プリント基板１０９を収納し、少なくとも一方の面に開口部を備え圧縮機１０３に直接取り付ける構造を持った収納ボックス１１３と、前記プリント基板１０９を前記収納ボックス１１３の反半開口部側から支持する複数の基板支持ゴムブッシュ１１５と、前記収納ボックス１１３の開口部を閉口するように取り付けられた蓋１１７と、前記プリント基板１０９のリアクタ１０７と前記蓋１１７との間にリアクタゴムブッシュ１１９からなる圧縮機用駆動装置１０１であって、前記プリント基板１０９のリアクタ１０７上に前記リアクタゴムブッシュ１１９を圧縮するように前記蓋１１７を装着して、前記プリント基板１０９のリアクタ１０７を固定することより、リアクタ１０７のコイル部にかかる応力を緩和し、使用周波数範囲内にリアクタ１０７の共振周波数を外すことができるため、リアクタ１０７のコイルが断線しない信頼性の高い圧縮機用駆動装置１０１を提供することができる。
【産業上の利用可能性】
【００４１】
以上のように、本発明にかかる圧縮機用駆動装置は、振動の加わる場所に設置された場合においても、構造的にプリント基板のリアクタを固定することより、リアクタのコイル部にかかる応力を緩和し、使用周波数範囲内にリアクタの共振周波数を外すことができるため、リアクタのコイルが断線しない信頼性の高い圧縮機用駆動装置を提供することができるので、冷蔵庫、空調調和機等の圧縮機用駆動装置に適用することができる。
【符号の説明】
【００４２】
１０１  圧縮機用駆動装置
１０３  圧縮機
１０５  半導体素子
１０６  電源入力部
１０７  リアクタ
１０７ａ  スペーサ
１０７ｂ  突出部
１０９  プリント基板
１１３  収納ボックス
１１５  基板支持ゴムブッシュ
１１７  蓋
１１７ａ  突起部
１１９  リアクタゴムブッシュ
１１９ａ  空洞部
【図１】
2014183649.tif 000003
【図２】
2014183649.tif 000004
【図３】
2014183649.tif 000005
【図４】
2014183649.tif 000006
【図５】
2014183649.tif 000007
【図６】
2014183649.tif 000008
【図７】
2014183649.tif 000009
【図８】
2014183649.tif 000010
【図９】
2014183649.tif 000011
【図１０】
2014183649.tif 000012